(57)【特許請求の範囲】
【請求項１】
硬質物質の垂直な面の表面から紙と粘着剤とから構成される粘着ラベルを剥離するために用いられ、
グリコールエーテル系水溶性有機溶剤を２０重量％以上と、
水と、
増粘剤とを含有し、
ジェル状であり、
粘度が１０００〜１００００ｍＰａ・ｓであることを特徴とする粘着ラベル剥離剤組成物。
【請求項２】
前記グリコールエーテル系水溶性有機溶剤は、下記一般式（Ｉ）及び（ＩＩ）からなる群から選択された少なくとも一種である請求項１に記載の粘着ラベル剥離剤組成物。
（Ｉ）Ｒ１−Ｏ−（ＣｍＨ２ｍＯ）ｎ−Ｒ２ 
（式中、Ｒ１及びＲ２は炭素数１〜６のアルキル基、ｍは２又は３の整数、ｎは１〜３の整数を示す。）
（ＩＩ）Ｒ３−Ｏ−（ＣｐＨ２ｐＯ）ｑ−Ｈ  
（式中、Ｒ３は炭素数１〜６のアルキル基、ｐは２〜３の整数、ｑは１〜３の整数を示す。）
【請求項３】
前記一般式（Ｉ）及び（ＩＩ）で表されるＲ１、Ｒ２及びＲ３の炭素数が４以下である請求項２に記載の粘着ラベル剥離剤組成物。
【請求項４】
前記グリコールエーテル系水溶性有機溶剤は、エチレングリコールモノエチルエーテル、エチレングリコールモノブチルエーテル、ジエチレングリコールモノブチルエーテル、ジエチレングリコールジエチルエーテル、及び、ジエチレングリコールエチルメチルエーテルからなる群から選択された少なくとも一種である請求項１〜３のいずれかに記載の粘着ラベル剥離剤組成物。
【請求項５】
さらにアルカリビルダーを含む請求項１〜４のいずれかに記載の粘着ラベル剥離剤組成物。
【請求項６】
さらに界面活性剤を含む請求項１〜５のいずれかに記載の粘着ラベル剥離剤組成物。
【請求項７】
さらに消泡剤を含む請求項１〜６のいずれかに記載の粘着ラベル剥離剤組成物。
【請求項８】
前記グリコールエーテル系水溶性有機溶剤の濃度が３０〜６０重量％である請求項１〜７のいずれかに記載の粘着ラベル剥離剤組成物。
【請求項９】
ｐＨが５〜９である請求項１〜８のいずれかに記載の粘着ラベル剥離剤組成物。
【請求項１０】
ｐＨが９〜１４である請求項１〜８のいずれかに記載の粘着ラベル剥離剤組成物。
【請求項１１】
水溶性である請求項１〜１０のいずれかに記載の粘着ラベル剥離剤組成物。
【請求項１２】
硬質材料の垂直な面の表面に貼り付けられた紙と粘着剤とから構成される粘着ラベル上に請求項１〜１１のいずれかに記載の粘着ラベル剥離剤組成物を滴下し、
１〜３０分経過後に擦り落す、流水ですすぐ、又は、水や空気を吹き付けることによって粘着ラベルを剥離する、硬質材料の表面からの粘着ラベルの剥離方法。
【発明の詳細な説明】
【技術分野】
【０００１】
本発明は、粘着ラベル剥離剤組成物及び粘着ラベルの剥離方法に関する。
【背景技術】
【０００２】
粘着ラベル、テープ、シール等（以下、これらを総称して粘着ラベルという）は、表示、広告、内装等の幅広い分野で使用されている。しかしながら、一旦粘着したこれらの粘着ラベルを除去しようとする場合、元通りに剥がすことが困難となる。特に、粘着後しばらく放置された粘着ラベルは頑強に固着している場合が多く、通常の水洗い等の洗浄では除去できないことが多い。
【０００３】
これを解決する手段として、芳香族系炭化水素類（キシレン、トルエン、テトラヒドロフラン等）、ケトン類（アセトン、メチルエチルケトン、メチルイソブチルケトン等）、ハロゲン化炭化水素類、エチレングリコールエステル類、酢酸エステル類、低級アルコール類（メタノール、イソプロパノール、ブタノール、ジアセトンアルコール等）等の有機溶剤を主成分とする剥離剤組成物が使用されている。しかしながら、有機溶剤を主成分とする剥離剤組成物では、ポリ（メタ）アクリル酸エステル系糊のような疎水性粘着剤で粘着されたラベルの除去は容易であるが、でんぷん糊、ポリアクリル酸塩系糊等の水溶性粘着剤で粘着されたラベル等の剥離が困難であり、また、使用すると溶剤に伴う不快臭が残るという問題があった。さらに、粘着ラベルを除去した後に水で洗浄する際、廃液が水質基準を超えてしまうことがあり、環境への負荷が大きいという問題点があった。
【０００４】
そこで、水溶性粘着剤及び疎水性粘着剤を用いたいずれの粘着ラベルに対しても剥離性に優れ、使用しても不快臭を残さない粘着ラベル剥離剤組成物を提供する手段として、例えば特許文献１には主としてテルペノイドを、その他にカルボキシエチルチオコハク酸塩、界面活性剤及び水を含む粘着ラベル剥離剤組成物が、特許文献２にはテルペン化合物（主にリモネンやピネン）を含む粘着ラベル剥離剤組成物が開示されている。
【先行技術文献】
【特許文献】
【０００５】
【特許文献１】特開平１１−１２５９７号公報
【特許文献２】特開２００４−３３１９２７号公報
【発明の概要】
【発明が解決しようとする課題】
【０００６】
しかしながら、特許文献１で開示されているテルペン系炭化水素を含む剥離剤組成物のようにテルペン系炭化水素を大量に含む場合、臭いが強く作業時に不快感がある。さらに、洗浄対象物へ臭いが残留する可能性があり、好ましくない。また、テルペン系炭化水素は水に不溶であるため、粘着ラベルを除去した後に水で洗浄する際、廃液により環境が汚染される。さらに、特許文献２で開示されている粘着ラベル剥離剤組成物において、主に配合されているＮ−メチル−２−ピロリドン溶剤は、海洋汚染防止法の有害液体物質に該当し、排水時に環境を汚染するおそれがある。
【０００７】
本発明は、上記の問題を解決するためになされたものであり、粘着ラベルを除去した後に水で洗浄する際、廃液による環境への負荷が少ないだけでなく、低臭気で、剥離性に優れた粘着ラベル剥離剤組成物を提供することを目的とする。
【課題を解決するための手段】
【０００８】
上記目的を達成するために、本発明の粘着ラベル剥離剤組成物では、グリコールエーテル系水溶性有機溶剤を２０重量％以上と、水とを含有することを特徴とする。
【０００９】
上記グリコールエーテル系水溶性有機溶剤を含有する粘着ラベル剥離剤組成物は、粘着ラベルを除去した後に水で洗浄する際、廃液による環境への負荷が少ないうえに、低臭気である。
さらに、上記グリコールエーテル系水溶性有機溶剤が２０重量％以上含有されていると、剥離性に優れた粘着ラベル剥離剤組成物が得られる。
【００１０】
本発明の粘着ラベル剥離剤組成物は、上記グリコールエーテル系水溶性有機溶剤が、下記一般式（Ｉ）及び（ＩＩ）からなる群から選択された少なくとも一種であることが望ましい。
（Ｉ）Ｒ１−Ｏ−（ＣｍＨ２ｍＯ）ｎ−Ｒ２ 
（式中、Ｒ１及びＲ２は炭素数１〜６のアルキル基、ｍは２又は３の整数、ｎは１〜３の整数を示す。）
（ＩＩ）Ｒ３−Ｏ−（ＣｐＨ２ｐＯ）ｑ−Ｈ  
（式中、Ｒ３は炭素数１〜６のアルキル基、ｐは２〜３の整数、ｑは１〜３の整数を示す。）
【００１１】
上記グリコールエーテル系水溶性有機溶剤が、上記一般式（Ｉ）及び（ＩＩ）からなる群から選択された少なくとも一種であると、粘着ラベルを除去した後に水で洗浄する際、廃液による環境への負荷が少ないだけでなく、低臭気で、剥離性に優れた粘着ラベル剥離剤組成物が得られる。
【００１２】
本発明の粘着ラベル剥離剤組成物は、上記一般式（Ｉ）及び（ＩＩ）で表されるＲ１、Ｒ２及びＲ３の炭素数が４以下であることが望ましい。
上記一般式（Ｉ）及び（ＩＩ）で表されるＲ１、Ｒ２及びＲ３の炭素数が４以下であると、ポリ（メタ）アクリル酸エステル系糊のような疎水性粘着剤の剥離性に特に優れた粘着ラベル剥離剤組成物が得られる。
【００１３】
本発明の粘着ラベル剥離剤組成物は、上記グリコールエーテル系水溶性有機溶剤が、エチレングリコールモノエチルエーテル、エチレングリコールモノブチルエーテル、ジエチレングリコールモノブチルエーテル、ジエチレングリコールジエチルエーテル、及び、ジエチレングリコールエチルメチルエーテルからなる群から選択された少なくとも一種であることが望ましい。
上記グリコールエーテル系水溶性有機溶剤が含有されていると、ポリ（メタ）アクリル酸エステル系糊のような疎水性粘着剤の剥離性に特に優れた粘着ラベル剥離剤組成物が得られる。
【００１４】
本発明の粘着ラベル剥離剤組成物は、さらに増粘剤を含むことが望ましい。
上記粘着ラベル剥離剤組成物に上記増粘剤が含まれると、上記粘着ラベル剥離剤組成物がジェル状となり定着性が良くなる。例えば、粘着ラベルが貼着されている硬質材料（例えば、プラスチック板（ポリプロピレン製）のコンテナー等）の面が垂直であっても、上記粘着ラベル剥離剤組成物が短時間で垂れ落ちることがなく、上記粘着ラベル剥離剤組成物を上記粘着ラベル部分に長時間触れさせることができる。
【００１５】
本発明の粘着ラベル剥離剤組成物は、さらにアルカリビルダーを含むことが望ましい。
上記粘着ラベル剥離剤組成物に上記アルカリビルダーが含まれると、粘着ラベルを剥離するのと同時に、粘着ラベルが粘着されている硬質材料（例えば、プラスチック板（ポリプロピレン製）のコンテナー等）の有機汚れを落とすことができる。
【００１６】
本発明の粘着ラベル剥離剤組成物は、さらに界面活性剤を含むことが望ましい。
上記粘着ラベル剥離剤組成物に上記界面活性剤が含まれると、上記粘着ラベル剥離剤組成物の粘着ラベルへの浸透力が上がり、上記粘着ラベルが剥離しやすくなると同時に汚れも落ちやすくなる。また、上記粘着ラベル剥離剤組成物をスプレーして使用することができる。
【００１７】
本発明の粘着ラベル剥離剤組成物は、さらに消泡剤を含むことが望ましい。
自動コンテナー洗浄機に硬質材料を投入しすすぐ際、すすぎ時に自動コンテナー洗浄機内で泡が発生し、自動コンテナー洗浄機が正常に作動しない場合がある。上記粘着ラベル剥離剤組成物に上記消泡剤が含まれると、泡立ちを抑え、かつ、泡切れを良くすることができる。
【００１８】
本発明の粘着ラベル剥離剤組成物においては、上記グリコールエーテル系水溶性有機溶剤の濃度が３０〜６０重量％であることが望ましい。
上記グリコールエーテル系水溶性有機溶剤の濃度が３０〜６０重量％であると、粘着ラベルを除去した後に水で洗浄する際、廃液による環境への負荷が少ないだけでなく、低臭気で、剥離性に優れた粘着ラベル剥離剤組成物が得られる。
【００１９】
本発明の粘着ラベル剥離剤組成物は、ｐＨが５〜９であることが望ましい。
ｐＨが５〜９であると、万一皮膚に接触しても短時間で侵される心配がなく、危険性が少ない。
【００２０】
本発明の粘着ラベル剥離剤組成物は、ｐＨが９〜１４であることが望ましい。
ｐＨが９〜１４であると、粘着ラベルを剥離するのと同時に、粘着ラベルが粘着されている硬質材料（例えば、プラスチック板（ポリプロピレン製）のコンテナー等）の有機汚れを落とすことができる。
【００２１】
本発明の粘着ラベル剥離剤組成物は、粘度が１〜１００００ｍＰａ・ｓであることが望ましい。
粘度が１〜１００００ｍＰａ・ｓであると、上記粘着ラベル剥離剤組成物を粘着ラベル表面上に均一に塗り広げやすく、また、上記粘着ラベル剥離剤組成物を上記粘着ラベル部分に長時間触れさせることができる。
【００２２】
本発明の粘着ラベル剥離剤組成物は、水溶性であることが望ましい。
粘着ラベル剥離剤組成物が水溶性であると、粘着ラベルを除去した後に水で洗浄する際、廃液による環境への負荷が少ない粘着ラベル剥離剤組成物が得られる。
ここで、水溶性とは、調製した粘着ラベル剥離剤組成物を１％の水溶液（２０℃）として、スターラー（３００ｒｐｍ）にかけて５分間撹拌した後、２層に分離していない状態となる性質をいう。
【００２３】
本発明の硬質材料の表面からの粘着ラベルの剥離方法は、硬質材料の表面に貼り付けられた粘着ラベル上に本発明の粘着ラベル剥離剤組成物を滴下し、
１〜３０分経過後に擦り落す、流水ですすぐ、又は、高圧の水や空気を吹き付けることによって粘着ラベルを剥離することを特徴とする。
【００２４】
上記粘着ラベル上に上記粘着ラベル剥離剤組成物を滴下し、上記粘着ラベルに充分に浸透させるため、１〜３０分放置する。その後、擦り落す、流水ですすぐ、又は、高圧の水や空気を吹き付けることで、上記粘着ラベルを痕跡なく、きれいに剥離することができる。
【発明の効果】
【００２５】
本発明の粘着ラベル剥離剤組成物は、粘着ラベルを除去した後に水で洗浄する際、廃液による環境への負荷が少ないだけでなく、低臭気で、剥離性に優れている。
【発明を実施するための形態】
【００２６】
本発明の粘着ラベル剥離剤組成物は、グリコールエーテル系水溶性有機溶剤を２０重量％以上と、水とを含有することを特徴とする。
グリコールエーテル系水溶性有機溶剤は、２０〜８０重量％含有されていることが望ましく、３０〜６０重量％含有されていることがより望ましい。
【００２７】
グリコールエーテル系水溶性有機溶剤としては、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、ジエチレングリコールジメチルエーテル、ジエチレングリコールジエチルエーテル、ジエチレングリコールジブチルエーテル、ジエチレングリコールエチルメチルエーテル、ジプロピレングリコールモノメチルエーテル、又は、トリエチレングリコールジメチルエーテル等が挙げられる。これらのグリコールエーテル系水溶性有機溶剤は、これらから選択される１種又は２種以上を混合して使用することができる。特に、エチレングリコールモノエチルエーテル、エチレングリコールモノブチルエーテル、ジエチレングリコールモノブチルエーテル、ジエチレングリコールジエチルエーテル、及び、ジエチレングリコールエチルメチルエーテルからなる群から選択された少なくとも一種が含有されていることが望ましい。
【００２８】
粘着ラベル剥離剤組成物には増粘剤が含まれていても良い。
増粘剤は、０．１〜２．０重量％含有されていることが望ましい。
増粘剤としては、デンプン系（カルボキシメチルデンプン）、セルロース系（ヒドロキシメチルセルロース、ヒドロキシエチルセルロース、ヒドロキシプロピルセルロース、ヒドロキシプロピルメチルセルロース）、アクリル系（カルボキシビニルポリマー、ポリアクリル酸ナトリウム）等が挙げられる。特に、カルボキシビニルポリマー及び／又はその中和物が含有されていることが望ましい。または、ヒドロキシプロピルメチルセルロースが含有されていることが望ましい。
【００２９】
カルボキシビニルポリマーは酸性の増粘剤であるため、中和剤とともに粘着ラベル剥離剤組成物に含有されていることが望ましい。
中和剤としては、水酸化ナトリウム、水酸化カリウム、ジイソプロパノールアミン、モノエタノールアミン、ジエタノールアミン、トリエタノールアミン等が挙げられる。特に、トリエタノールアミンが含有されていることが望ましい。
【００３０】
粘着ラベル剥離剤組成物にはアルカリビルダーが含まれていても良い。
アルカリビルダーは、０．１〜２０重量％含有されていることが望ましい。
アルカリビルダーとしては、炭酸塩、ケイ酸塩、リン酸塩、硫酸塩、水酸化ナトリウム、水酸化カリウム、モノエタノールアミン、ジエタノールアミン、トリエタノールアミン、ニトリロ三酢酸塩、エチレンジアミン四酢酸塩等が挙げられる。特に、水酸化ナトリウムが含有されていることが望ましい。
【００３１】
粘着ラベル剥離剤組成物には界面活性剤が含まれていても良い。
界面活性剤は、０．１〜２０重量％含有されていることが望ましい。
界面活性剤としては、アルキルベンゼンスルホン酸塩、脂肪酸塩、アルカンスルホン酸塩、オレフィンスルホン酸塩、アルキルスルホコハク酸塩、アルキル硫酸エステル塩、アルキルエーテル硫酸エステル塩などの陰イオン界面活性剤や、アルキルアミン塩、第四級アンモニウム塩などの陽イオン界面活性剤が挙げられる。また、ポリオキシエチレンアルキルエーテル、ポリオキシアルキレンアルキルエーテル、ポリオキシエチレン脂肪酸エステル、ポリオキシエチレンアルキルフェニルエーテル、ポリオキシエチレンポリオキシプロピレングリコール、ショ糖脂肪酸エステル、アルキルポリグルコシド、アルキルアルカノールアミド、モノグリセリン脂肪酸エステル、ポリグリセリン脂肪酸エステル、ソルビタン脂肪酸エステル、ソルビタン脂肪酸エステルのエチレンオキシド付加物、ソルビタン脂肪酸エステルのアルキレンオキシド付加物などの非イオン界面活性剤が挙げられる。さらに、アルキルアミンオキシド、アミノ酸型両性界面活性剤、ベタイン型界面活性剤などの両性界面活性剤が挙げられる。これらの界面活性剤は、これらから選択される１種又は２種以上を混合して使用することができる。
【００３２】
粘着ラベル剥離剤組成物には消泡剤が含まれていても良い。
消泡剤は、０．０１〜５重量％含有されていることが望ましい。
消泡剤としては、シリコーン系消泡剤、有機系消泡剤が挙げられる。特に、シリコーン系消泡剤が含有されていることが望ましい。シリコーン系消泡剤が含有されている方が、粘着ラベル剥離剤組成物の安定性が良く、消泡性能も向上する。
シリコーン系消泡剤としては、シリコーンオイル、シリコーンコンパウンド、エマルジョン型シリコーン系消泡剤等が挙げられる。特に、エマルジョン型シリコーン系消泡剤が含有されていることが望ましい。
【００３３】
粘着ラベル剥離剤組成物のｐＨは、５〜１４であることが好ましく、５〜９であることがより好ましい。
【００３４】
粘着ラベル剥離剤組成物の粘度は、１〜１００００ｍＰａ・ｓであることが好ましく、１０００〜５０００ｍＰａ・ｓであることがより好ましい。
【００３５】
本発明の粘着ラベル剥離剤組成物を使用して剥離する、本発明の粘着ラベルの剥離方法について説明する。
【００３６】
本発明の粘着ラベルの剥離方法は、硬質材料の表面に貼り付けられた粘着ラベルだけでなく、硬質材料の表面から粘着ラベルを無理に剥がした際、表面に残された粘着剤層のみに対しても用いられる。
本発明の粘着ラベルの剥離方法は、文字の印刷又は記入に用いられる基材と、その基材上に形成されたアクリル系粘着剤層又はゴム系粘着剤層から構成される粘着ラベルに効果的である。
文字の印刷又は記入に用いられる基材としては、上質紙、クラフト紙、和紙等が挙げられる。
【００３７】
硬質材料としては、金属、セラミック、プラスチック、ガラス、表面処理した木材等が挙げられる。
【００３８】
硬質材料の表面に貼り付けられた粘着ラベルに対して、本発明の粘着ラベル剥離剤組成物を、そのままハケ、ローラー、フォーマー又はスプレーガン等で塗布する。
その後、１〜３０分間なじませた後に、ヘラ、スポンジ、ウェス又はタワシ等で軽くこすることにより、硬質材料の表面から粘着ラベルを除去し、剥離の痕を残さずきれいに仕上げることができる。
または、自動コンテナー洗浄機に硬質材料を投入し流水ですすぐ、又は、高圧の水や空気を吹き付けることによって、硬質材料の表面から粘着ラベルを除去し、剥離の痕を残さずきれいに仕上げることができる。
【実施例】
【００３９】
以下に本発明をより具体的に説明する実施例を示すが、本発明はこれらの実施例に限定されるものではない。
（実施例１）
表１に示す組成からなる粘着ラベル剥離剤組成物を調製した。
実施例１では、エチレングリコールモノブチルエーテル２０．０重量％を準備し、水８０．０重量％と混合して、粘着ラベル剥離剤組成物を調製した。
【００４０】
（ｐＨ及び粘度の測定）
粘着ラベル剥離剤組成物のｐＨ及び粘度を測定した結果を表３に示す。
粘着ラベル剥離剤組成物の粘度は、Ｅ型粘度計（東機産業株式会社  ＶＩＳＣＯＭＥＴＥＲ  ＴＶ−２２）を用いて、２０℃において１ｒｐｍの回転を付与して測定した。
【００４１】
下記の通り、粘着ラベル剥離力、臭い、すすぎ時水溶性、すすぎ時泡立ち及び経時安定性を評価した結果を表３に示す。
（粘着ラベル剥離力の評価）
上質紙と（ｉ）アクリル系粘着剤ＰＷ（リンテック社製）、（ｉｉ）アクリル系粘着剤ＰＺ−２（リンテック社製）、又は、（ｉｉｉ）ゴム系粘着剤ＰＶ−２（リンテック社製）から構成される４ｃｍ×４ｃｍの粘着ラベルをプラスチック板（ポリプロピレン製）に貼り付けて、室温で７日間以上保管した。その後、粘着ラベルが容易に剥離しないことをヘラでこすって確認し、調製した粘着ラベル剥離剤組成物を粘着ラベルの基材の上から０．２ｍＬ滴下し、ハケで塗り広げた。２０分間放置して良くなじませた後、ヘラでこすり剥がし、剥離状態を目視にて次の２段階で評価した。
○：剥離し、痕跡もない
×：ほとんど剥離していない
【００４２】
（臭いの評価）
調製した粘着ラベル剥離剤組成物の臭いを、３人のモニターにより嗅覚テストし、その結果を次の２段階で評価した。
○：ほとんど臭いなし 
×：強烈な刺激臭あり
【００４３】
（すすぎ時の水溶性の評価）
調製した粘着ラベル剥離剤組成物を１％の水溶液（２０℃）として、スターラー（３００ｒｐｍ）にかけて５分間撹拌した後、状態を観察し、結果を次の２段階で評価した。
○：ほとんど分散する
×：２層に分離する
【００４４】
（すすぎ時泡立ちの評価）
ドア型自動食器洗浄機（ホシザキＪＷ６５０ＵＦ）に粘着ラベル剥離剤組成物を添加して、濃度を０．３５％に調整後、１分間洗浄機を作動させた。その直後の泡立ちの状態を観察し、結果を次の２段階で評価した。
◎：泡立ちがほとんどない、又は、１ｃｍ未満
○：泡立ちが１〜５ｃｍ未満
【００４５】
（経時安定性の評価）
調整した粘着ラベル剥離剤組成物を４５℃で３０日間保管した後、外観を観察した。
○：均一な状態を保っている
【００４６】
（実施例２〜７）
実施例２〜７については、それぞれ表１に示す組成からなる粘着ラベル剥離剤組成物を調製した以外は、実施例１と同様に粘着ラベル剥離力、臭い、すすぎ時水溶性、すすぎ時泡立ち及び経時安定性の評価を行った。
【００４７】
（比較例１〜３）
比較例１〜３については、それぞれ表２に示す組成からなる粘着ラベル剥離剤組成物を調製した以外は、実施例１と同様に粘着ラベル剥離力、臭い、すすぎ時水溶性、すすぎ時泡立ち及び経時安定性の評価を行った。
【００４８】
【表１】
0005876989.tif 000002
【００４９】
【表２】
0005876989.tif 000003
【００５０】
【表３】
0005876989.tif 000004
【００５１】
表３の実施例１〜７の結果からわかるように、グリコールエーテル系水溶性有機溶剤と水とを含む本発明の粘着ラベル剥離剤組成物を用いた場合、アクリル系粘着剤ＰＷ、アクリル系粘着剤ＰＺ−２又はゴム系粘着剤ＰＶ−２のいずれの粘着剤に対しても剥離性が優れるうえに、低臭気であることがわかる。また、すすぎ時の水溶性にも優れているので、粘着ラベルを除去した後に水で洗浄する際、廃液による環境への負荷が少ないと言える。さらに、本発明の粘着ラベル剥離剤組成物は経時安定性がある。
また、消泡剤を含む実施例５及び７では、すすぎ時の泡立ちが少ないことがわかる。
これに対して、有機溶剤からなる比較例１の粘着ラベル剥離剤組成物では、臭いが強く、非水溶性である。また、グリコールエーテル系水溶性有機溶剤の含有量が２０重量％未満である比較例２及び３の粘着ラベル剥離剤組成物では、剥離性が劣る。